(57)【特許請求の範囲】
【請求項１】
ディスクカートリッジが挿入保持されると共にメカシャーシーに対して離接する方向に移動し、メカシャーシーから離間した状態でディスクカートリッジの挿脱が行われ、メカシャーシーに接した状態でディスクカートリッジを所定の装着位置に装着させるカートリッジホルダーと、
上記カートリッジホルダーにディスクカートリッジの挿脱方向と同方向に移動可能に取り付けられ、ディスク押圧部を有し該ディスク押圧部がディスクカートリッジを押圧してディスクカートリッジをカートリッジホルダーから排出させるイジェクトスライダーと、
ディスクカートリッジのカートリッジホルダーへの挿入が完了した位置で上記イジェクトスライダーをロックするロック部材と、
カートリッジホルダーのメカシャーシーから離間する方向への移動動作に伴って上記ロック部材によるイジェクトスライダーのロックを解除すると共に、イジェクトスライダーのディスクカートリッジ排出方向への移動をカートリッジホルダーがメカシャーシーから所定距離移動するまで規制する規制部を有する保持手段とを備えた
ことを特徴とするディスクカートリッジのイジェクト機構。
【請求項２】
上記保持手段にカートリッジホルダーの軸受を一体に形成した
ことを特徴とする請求項１に記載のディスクカートリッジのイジェクト機構。
【請求項３】
上記保持手段をメカシャーシーに固定し、上記カートリッジホルダーを上記軸受を介してメカシャーシーに回動自在に支持した
ことを特徴とする請求項２に記載のディスクカートリッジのイジェクト機構。
【発明の詳細な説明】
【０００１】
【発明の属する技術分野】
本発明は新規なディスクカートリッジのイジェクト機構に関する。詳しくは、イジェクト時におけるカートリッジホルダーのシャーシーからの移動距離を安定にし、これによってディスクカートリッジのイジェクトを確実に行えるようにする技術に関する。
【０００２】
【従来の技術】
カートリッジホルダーをメカシャーシーから離間させた状態でディスクカートリッジのカートリッジホルダーに対する挿脱を行い、ディスクカートリッジを保持したカートリッジホルダーをメカシャーシーに近接させてディスクカートリッジを所定の装着位置に装着させるようにしたディスクプレーヤーにあっては、ディスクカートリッジをカートリッジホルダーから取り出し易くするために、カートリッジホルダーのメカシャーシーから離間する動作に伴ってディスクカートリッジを排出方向に押圧してディスクカートリッジの一部をカートリッジホルダーから突出させるイジェクトスライダーが設けられている。従って、ユーザーはカートリッジホルダーから突出したディスクカートリッジの一部を持って該ディスクカートリッジをカートリッジホルダーから容易に取り出すことができる。
【０００３】
上記した如きイジェクトスライダーを有する従来のディスクカートリッジのイジェクト機構を図３５に示す。
【０００４】
イジェクトスライダーａはカートリッジホルダーｂに前後方向に摺動可能に取り付けられており、図示しないバネによってディスクカートリッジの排出方向に付勢されている。
【０００５】
ロック部材ｃはカートリッジホルダーｂに固定されており、カートリッジホルダーｂは支点軸ｄを中心として回動するようにメカシャーシーｅに支持されている。
【０００６】
ロック解除部材ｆはメカシャーシーｅに固定されている。
【０００７】
ロック部材ｃは、取付部ｇがカートリッジホルダーｂに固定され、該取付部ｇと作用部ｈとの間がバネ部ｉによって連結されている。そして、作用部ｈは係止部ｊ、被ロック片ｋ及び傾斜縁ｌを有する。
【０００８】
上記イジェクトスライダーａは押圧片ｍと係止片ｎを有している。
【０００９】
そして、カートリッジホルダーｂに挿入されてくる図示しないディスクカートリッジの後端によって押圧片ｍが押圧されてイジェクトスライダーａが後方へ移動されてくると、イジェクトスライダーａの係止片ｎがロック部材ｃの傾斜縁ｌを摺動しながら下方へ押圧するので、バネ部ｉが上に凸となるように撓んで作用部ｈが下方へ移動する。そして、イジェクトスライダーａの係止片ｎが傾斜縁ｌを通り過ぎて係止部ｊの直ぐ後側まで来ると、作用部ｈを上方から押さえる力がなくなるので、バネ部ｉが元に戻って作用部ｈが上方へ移動し、係止部ｊがイジェクトスライダーａの係止片ｎの前側に来て、これによって、該係止片ｎがロック部材ｃの係止部ｊに係合して、イジェクトスライダーａはその位置でロックされる。
【００１０】
ロック解除部材ｆは、主部ｏと該主部ｏの前端部下端から前方へ向けて延びるバネ部ｐとがバネ弾性を有する金属板材料によって一体に形成されて成る。主部ｏは右側から見てほぼ三角形状の板状をなし、その後縁部が左方へ折り曲げられて成る後側傾斜縁ｑと該後側傾斜縁ｑの下端に連続し左右に延びる係合縁ｒとを有している。そして、該主部ｏは、平面が左右方向を向く向きでその上端部が、メカシャーシーｅの右側部の後端寄りの位置に平面が左右方向を向く向きで立設された支持片ｓに回動自在に支持されている。
【００１１】
バネ部ｐは、その平面が上下方向を向く向きで上記主部ｏの前端部下部から前方へ向けて延びており、バネ部ｐの先端部がメカシャーシーｅの右側部のほぼ中間の位置に突設された当接片ｔの下面に弾接されている。
【００１２】
そして、カートリッジホルダーｂの下方への回動動作に伴って、ロック部材ｃの作用部ｈが下方へ移動していくと、その被ロック片ｋがロック解除部材ｆの主部ｏの後側傾斜縁ｑを滑って下方へ移動していく。これによって、該主部ｏはバネ部ｐが上方へ凸となるように撓むことによって図中矢印方向に回動し、ロック部材ｃの被ロック片ｋの下方への移動を許容する。そして、被ロック片ｋがロック解除部材ｆの係合縁ｒより下方に来ると、バネ部ｐが元に戻ることによって主部ｏが図中矢印と反対の方向に回動して上記係合縁ｒがロック部材ｃの被ロック片ｋの上方に位置する。これによって、ロック部材ｃの被ロック片ｋがロック解除部材ｆの係合縁ｒと係合する。
【００１３】
そして、ディスクカートリッジをイジェクトするときは、カートリッジホルダーｂをメカシャーシーｅに対して上方へ回動させる。カートリッジホルダーｂを上方へ回動させると、カートリッジホルダーｂに取り付けられているロック部材ｃも上方へ移動される。しかしながら、ロック部材ｃの被ロック片ｋがロック解除部材ｆの係合縁ｒと係合しているため、ロック部材ｃはバネ部ｉが上方に凸になるように撓んで作用部ｈが置いて行かれる形になる。それによって、イジェクトスライダーａの係止片ｎがロック部材ｃの係止部ｊよりも上方へ移動してロックが解除され、イジェクトスライダーａは図示しないバネの力によって前方へ移動し、該イジェクトスライダーａの押圧片ｍがディスクカートリッジの後端を押圧して、ディスクカートリッジの一部をカートリッジホルダーｂから突出させる。
【００１４】
そして、ロック部材ｃのバネ部ｉの撓みが大きくなっていって該バネ部ｉのバネ力とロック解除部材ｆのバネ部ｐのバネ力とが逆転すると、すなわち、ロック部材ｃのバネ力がロック解除部材ｆのバネ力よりも大きくなると、ロック解除部材ｆのバネ部ｐが下側に凸になるように撓んで主部ｏが図中矢印と反対の方向に回動し、ロック部材ｃの被ロック片ｋがロック解除部材ｆの係合縁ｒから後方へ外れてロックが解除され、これによって、両方のバネ部ｉ、ｐの撓みが復帰し、ロック部材ｃの作用部ｈ及びロック解除部材ｆの主部ｏがそれぞれ元の位置に戻る。
【００１５】
【発明が解決しようとする課題】
ところで、上記した従来のディスクカートリッジのイジェクト機構にあっては、ロック部材ｃのバネ部ｉのバネ力とロック解除部材ｆのバネ部ｐのバネ力とのバランスの如何によってディスクカートリッジのカートリッジホルダーｂからの排出時期にずれが生ずる。すなわち、ロック解除部材ｆのバネ部ｐのバネ力が相対的に弱ければ、カートリッジホルダーｂがシャーシーｅに対してより大きく開いてからディスクカートリッジが排出されることになり、また、ロック解除部材ｆのバネ部ｐのバネ力が相対的に強ければ、カートリッジホルダーｂがシャーシーｅに対してあまり開いていない状態でディスクカートリッジが排出されることになる。つまり、イジェクトスライダーａのロックの解除の時期にバラツキが生じることになる。
【００１６】
そこで、従来は、イジェクトスライダーａに対するロックの解除を確実にするために、イジェクトスライダーａのロックが解除されるときのカートリッジホルダーｂのメカシャーシーｅに対する設計上の開き角を小さめに設定せざるを得なかった。そして、イジェクト時におけるカートリッジホルダーｂのシャーシーｅに対する開き角を小さくすると、ディスクカートリッジのカートリッジホルダーｂに対する挿脱を行い難いという問題と設計上の自由度が小さくなるという問題があった。
【００１７】
そこで、本発明は、イジェクト時におけるカートリッジホルダーのシャーシーからの移動距離を安定にし、これによってディスクカートリッジのイジェクトを確実に行えるようにすることを課題とする。
【００１８】
【課題を解決するための手段】
本発明ディスクカートリッジのイジェクト機構は、上記した課題を解決するために、ディスクカートリッジが挿入保持されると共にメカシャーシーに対して離接する方向に移動し、メカシャーシーから離間した状態でディスクカートリッジの挿脱が行われ、メカシャーシーに接した状態でディスクカートリッジを所定の装着位置に装着させるカートリッジホルダーと、上記カートリッジホルダーにディスクカートリッジの挿脱方向と同方向に移動可能に取り付けられ、ディスク押圧部を有し該ディスク押圧部がディスクカートリッジを押圧してディスクカートリッジをカートリッジホルダーから排出させるイジェクトスライダーと、ディスクカートリッジのカートリッジホルダーへの挿入が完了した位置で上記イジェクトスライダーをロックするロック部材と、カートリッジホルダーのメカシャーシーから離間する方向への移動動作に伴って上記ロック部材によるイジェクトスライダーのロックを解除すると共に、イジェクトスライダーのディスクカートリッジ排出方向への移動をカートリッジホルダーがメカシャーシーから所定距離移動するまで規制する規制部を有する保持手段とを備えたものである。
【００１９】
従って、本発明ディスクカートリッジのイジェクト機構にあっては、保持手段の規制部によってイジェクトスライダーのディスクカートリッジ排出方向への移動がカートリッジホルダーがメカシャーシーから所定距離移動するまで規制されるので、イジェクト時におけるカートリッジホルダーのシャーシーからの移動距離が安定になり、これによってディスクカートリッジのイジェクトを確実に行えるようになる。
【００２０】
【発明の実施の形態】
以下に、本発明ディスクカートリッジのイジェクト機構の実施の形態を添付図面を参照して説明する。
【００２１】
なお、図示した実施の形態は、本発明をディスク状記録媒体の記録再生装置ににおけるディスクカートリッジのイジェクト機構に適用したものである。
【００２２】
本実施の形態において、記録再生装置１はディスク状記録媒体としてミニディスク（ＭＤ）と称される６４ｍｍ径の小型の光磁気ディスク又は光ディスク（以下、「ディスク」という。）２をカートリッジ３内に回転可能に収納して成るディスクカートリッジ４を使用するものである。
【００２３】
上記ディスク３は、図３３及び図３４に示すように、カートリッジ３内に回転可能に収納されて、ディスクカートリッジ４が形成される。上記ディスク２を収納して記録及び再生用ディスクカートリッジ４を形成する上記カートリッジ３は、一辺の長さが該ディスク２の直径にほぼ対応した矩形状の主面部を有する薄い筐体状に構成されている。このカートリッジ２は、図３３に示すように、上面側の主面部に、上記ディスク２の信号記録面の一部を外方に臨ませるための磁気ヘッド用開口部５を有している。また、このカートリッジ２は、図３４に示すように、下面側の主面部の上記磁気ヘッド用開口部５に対向する位置に光学ピックアップ用開口部６を有し、この下面側の主面部のほぼ中央部分にチャッキング用開口部７を有している。この記録及び再生用ディスクカートリッジ４は、上記記録再生装置１に対して、図３３中矢印Ａで示すように、後方方向に挿入されて装着される。
【００２４】
記録及び再生用ディスクカートリッジ４のカートリッジ２において、上記磁気ヘッド用開口部５及び光学ピックアップ用開口部６はシャッター部材８によって開閉可能にされている。このシャッター部材８は上記開口部５及び６に各々対応し互いに平行に対向したシャッター板部８ａ、８ｂとこれらシャッター板部８ａ、８ｂの一側縁間を連結する連結部８ｃとが、合成樹脂材料又は金属材料により一体に形成されて成る。このシャッター部材８は、上記連結部８ｃがカートリッジ４の一側部に形成された支持溝部２ａに摺動自在に支持されている。すなわち、シャッター部材８は、カートリッジ２の一側部に沿って前方へ摺動されることにより上記開口部５及び６を開放し、前方側より後方へ摺動されることにより初期位置に復帰して各シャッター板部８ａ、８ｂにより各開口部５及び６を閉塞する。
【００２５】
そして、再生専用カートリッジは、上記カートリッジ２から磁気ヘッド用開口部５を除去した形状を為す図示しないカートリッジにディスクを回転自在に収納して形成する。
【００２６】
記録再生装置１の外筐１０は下ケース１１と、上ケース１２と上カバー１３とから成る。
【００２７】
下ケース１１は横長の浅い容器状をしており、後面壁の右端部が切り欠かれている。そして、その前面壁１１ａの前面が操作部とされている。該操作部には各種操作ノブが配置され、また、コネクタ接続部１４が設けられている。下ケース１１のその他の面には、入出力ジャック部、電源ジャック部等が配設されている。
【００２８】
上ケース１２は下ケース１１の右端部の上面開口を覆うように配設されるものであり、天板部と側壁部と前面壁を有し後端は開放されている。そして、上ケース１２の天板部には複数の操作釦１５、１５、・・・が配置されている。
【００２９】
上カバー１３は下ケース１１の上面開口のうち上ケース１２で覆われた右端部を除く部分を開閉するように配置される。また、該上カバー１３の上面には液晶表示部１６が配設されている。
【００３０】
上記したケース１１、上ケース１２及び上カバー１３は平面形状でほぼ矩形の枠状をした図示しないメインフレームに取着される。すなわち、下ケース１１はメインフレームを下方から覆うにように固定され、メインフレームの右側面部に連続するように上ケースが固定される。そして、上カバー１３はその後端部がメインフレームの後端部に回動可能に支持され、その前端部が上下方向に移動するように回動される。
【００３１】
そして、上記メインフレームにメカシャーシー２０が図示しない弾性体（例えば、ゴムダンパーやバネ等）を介してフローティング支持される。
【００３２】
メカシャーシー２０の下面側には、ディスク駆動回路や信号再生回路が構成される図示しない回路基板が固定されている。さらに、このメカシャーシー２０には、上記ディスク２を載置しスピンドルモーターによって回転される図示しないターンテーブルや、ディスク２の信号を読み取るための図示しない光学ピックアップ等が配置されている。
【００３３】
上記メカシャーシー２０の上面部には、カートリッジホルダー３０が配設されている。このカートリッジホルダー３０は、上記ディスクカートリッジ４が前方より挿入され、挿入されたディスクカートリッジ４を保持し得るように、天板部３１と、この天板部３１の両側縁より下方に垂設された左右側壁部３２、３３と、これら各側壁部３２、３３の下縁より内方に突出された支持片部３４、３５とを有している。このカートリッジホルダー３０は、金属板材料を屈曲形成して、上記各部が一体的に形成されている。
【００３４】
このカートリッジホルダー３０に、上記ディスクカートリッジ４は、前方側より、上記天板部３１の下側の上記各側壁部３２、３３間に挿入され、上記各支持片部３４、３５により下側の主面部の両側部分を支持されて、保持される。このとき、上記ディスクカートリッジ４は、下側の主面部のほぼ全面を下方側に臨ませており、上記チャッキング用開口部７、上記光学ピックアップ用開口部６をカートリッジホルダー３０の下方側に臨ませている。
【００３５】
このカートリッジホルダー３０の右側壁部３３のほぼ中間部分には、内方に向けて、シャッター開放片３６が突設されている。このシャッター開放片３６は、カートリッジホルダー３０にディスクカートリッジ４が挿入されたとき、上記シャッター部材８の連結部８ｃの前端に当接し、ディスクカートリッジ４がカートリッジホルダー３０内に収納されたとき、該シャッター部材８を開蓋状態にする。また、上記右側壁部３３の前端寄りの部分には、バネ部３７ａの先端に内方に向けて膨出するようにされた嵌合部３７ｂを有するシャッター閉蓋バネ３７が配設されている。このシャッター閉蓋バネ３７は、カートリッジホルダー３０にディスクカートリッジ４が挿入されたとき、上記シャッター部材８の連結部８ｃに形成されたシャッター閉蓋孔８ｄに嵌合部３７ｂが係合し、該ディスクカートリッジ４がカートリッジホルダー３０より抜き出されるとき、シャッター部材８を閉蓋状態にするものである。
【００３６】
上記カートリッジホルダー３０の右側壁部３３にはイジェクトスライダー４０が前後方向に移動可能に支持されている。
【００３７】
イジェクトスライダー４０は前後方向に長い被支持部４１を備え、該被支持部４１には前後に離間して２つの前後方向に長い被ガイド孔４１ａ、４１ａが形成されている。そして、被支持部４１がカートリッジホルダー３０の右側壁部３３の外側面に接した状態で該右側壁部３３に固定されたガイドピン４１ｂ、４１ｂが被ガイド孔４１ａ、４１ａに摺動自在に挿通され、これによって、イジェクトスライダー４０はカートリッジホルダー３０に前後方向に移動可能に支持される。また、上記被支持部４１には被ガイド孔４１ａと４１ａとの間の位置からバネ掛け片４１ｃが外方へ向けて突設されており、該バネ掛け片４１ｃとカートリッジホルダー３０の右側壁部３３の外面に突設された図示しないバネ掛け片との間に引張コイルバネ４１ｄが張設され、これによって、イジェクトスライダー４０は前方へ向けて、すなわち、図中矢印Ｂ方向へ付勢されている。
【００３８】
イジェクトスライダー４０の被支持部４１の後端部の上縁からは左方へ向けて連結片４２が折り曲げ形成されており、該連結片４２の後端にディスク押圧部４３が形成されている。該ディスク押圧部４３は板状を為し、その平面が前後方向を向く向きで形成されている。そして、連結片４２の大部分及びディスク押圧部４３はカートリッジホルダー３０の右側壁部３３の後端部に形成された前後方向に長い挿通切欠４５を通してカートリッジホルダー３０の内側に位置されている。
【００３９】
さらに、イジェクトスライダー４０の被支持部４１の後端部寄りの部分の上縁からは右方へ向けて被係止片４４が突設されている。
【００４０】
カートリッジホルダー３０の右側壁部３３の後端部外側面にはロック部材５０が固定されている。
【００４１】
ロック部材５０は板バネ材料で形成されており、被取付部５１に形成された取付孔５１ａ、５１ａを挿通された図示しない取付ネジによって該被取付部５１がカートリッジホルダー３０の右側壁部３３の後端部外側面に固定される。
【００４２】
被取付部５１の下縁からはバネ部５２が外方、すなわち、右方へ向けて突設されている。該バネ部５２は後端部の左側縁が上記被取付部５１の下縁に連設され、そして、バネ部５２は平面が上下に向く向きで被取付部５１から前方へ向かって延びている。
【００４３】
バネ部５２の前端部にはスライダー係止部５３が設けられている。該スライダー係止部５３はバネ部５２の前端部からさらに前方に向かって延びており、後半部の下縁がバネ部５２の前端部の左側縁に連設されている。該スライダー係止部５３は平面が左右方向を向く向きで位置され、その後半部の上縁が右方から見てＬ字状に切り欠かれ、該切欠部の前縁５３ａが係止縁とされている。また、スライダー係止部５３の前半部の上縁５３ｂは緩やかに前下がりに傾斜した傾斜縁とされ、さらに、スライダー係止部５３の前端部５３ｃは前方に行くに従って外方、すなわち、右方へ傾斜した逃げ片とされている。そして、バネ部５２が撓んでいない状態で、上記傾斜縁５３ｂは、その前端がイジェクトスライダー４０の被係止片４４より下に位置し、また、後端が上記被係止片４４より上方に位置する位置関係となっている。
【００４４】
上記バネ部５２の前端部から被ロック腕５４が突設されている。該被ロック腕５４は平面が左右方向を向いたほぼＬ字状を為しており、後端部の上縁がバネ部５２の前端部右側縁に連設されており、後端部の下端部から前方へ延びた部分の下縁に左方へ突出した被ロック片５４ａが形成されている。
【００４５】
メカシャーシー２０の右側部の後端部上面には保持手段６０が配置固定されている。保持手段６０は、ホルダー支持部６１とロック部６２と規制部６３とを有する。
【００４６】
ホルダー支持部６１は後端部に位置し、上方へ向けて突設された支持片６１ａと該支持片６１ａの右側面から右方へ突設された軸ピン６１ｂとから成る。
【００４７】
ロック部６２は前端寄りの部分に位置し右下がりに傾斜した傾斜案内面６２ａと該傾斜案内面６２ａの下端から左方へ延びる下向きの平面であるロック面６２ｂとから成る。
【００４８】
規制部６３は前端部に位置し、上記ロック部６２より上方に突出しており、後方を向いた規制面６３ａを有している。
【００４９】
該保持手段６０の後端寄りの位置には取付孔６４が形成され、また、後端部と前端部の下面には位置決めピン６５、６５が突設されている。そして、位置決めピン６５、６５がメカシャーシー２０に形成された位置決め孔６５ａ、６５ａに嵌合されることによってメカシャーシー２０に対して位置決めされた状態で取付孔６４を挿通されたネジ６４ａがメカシャーシー２０に締着されることによって、保持手段６０がメカシャーシー２０の右端部の後端部に固定される。
【００５０】
そして、保持手段６０がメカシャーシー２０に上記したように固定され、カートリッジホルダー３０が下方に回動されてメカシャーシー２０と平行に位置した状態において、ロック部材５０の被ロック腕５４の被ロック片５４ａは保持手段６０の傾斜案内面６２ａに上方から対向するように位置しており、イジェクトスライダー４０の被係止片４４は保持手段６０の規制部６３の上端と傾斜案内面６２ａの上端との間の高さに対応した位置に位置している。
【００５１】
なお、上記カートリッジホルダー３０はその後端部が保持手段６０に形成された軸ピン６１ｂ及びメカシャーシー２０の左端部の後端部に設けられた図示しないもう一つの軸ピンによってメカシャーシー２０に回動自在に支持される。
【００５２】
次ぎに、ディスクカートリッジ４の装着とイジェクトについて説明する。
【００５３】
図１０に示す如く、メカシャーシー２０に対しカートリッジホルダー３０が持ち上げられた状態（上カバー１３が開いた状態）でカートリッジホルダー３０にディスクカートリッジ４を挿入する。上カバー１３とカートリッジホルダー３０とは図示しないリンク機構によってリンクされており、上カバー１３を開くとカートリッジホルダー３０がメカシャーシー２０に対して上方へ回動されるようになっている。
【００５４】
カートリッジホルダー３０にディスクカートリッジ４を挿入すると、ディスクカートリッジ４の後端面の右端部がイジェクトスライダー４０のディスク押圧部４３に当接し、さらに、該ディスク押圧部４３を後方へ向かって押圧する。イジェクトスライダー４３は引張コイルバネ４１ｄによる引張力に抗して後方へ移動される。そして、ディスクカートリッジ４がカートリッジホルダー３０の最深部まで完全に挿入される間に、シャッター閉蓋バネ３７の嵌合部３７ｂがシャッター部材８のシャッター閉蓋孔８ｄに係合し、また、シャッター部材８がシャッター開放片３６によって開放されて、磁気ヘッド用開口部５（記録及び再生用ディスクカートリッジの場合）、光学ピックアップ用開口部６及びチャッキング用開口部７が開放される。
【００５５】
そして、ディスクカートリッジ４がカートリッジホルダー３０の最深部まで完全に挿入されると、イジェクトスライダー４０がロック部材５０によってその位置にロックされる。すなわち、ディスクカートリッジ４に押されてイジェクトスライダー４０がカートリッジホルダー３０の奥に挿入されてくると、イジェクトスライダー４０の被係止片４４がロック部材５０の傾斜縁５３ｂに当接し（図１１及び図２１参照）、該傾斜縁５３ｂを押圧するので、ロック部材５０のバネ部５２が上方に凸になるように撓むことによってスライダー係止部５３が下方に移動し、これによって、イジェクトスライダー４０の被係止片４４はスライダー係止部５３の上縁を滑って（図１２及び図２２参照）後方へ移動して行く。そして、被係止片４４がロック部材５０の係止縁５３ａの位置を後方へ通過すると、ロック部材５０のバネ部５２の撓みが元に戻り、スライダー係止部５３が上方へ移動して該スライダー係止部５３の係止縁５３ａがイジェクトスライダー４０の被係止片４４の前側に位置し、これによって、イジェクトスライダー４０はカートリッジホルダー３０の最深部まで移動された位置にロックされることになる（図１３及び図２３参照）。
【００５６】
このようにディスクカートリッジ４がカートリッジホルダー３０に完全に挿入されてイジェクトスライダー４０がロックされた状態から、上カバー１３を閉じることによってカートリッジホルダー３０を下方へ回動させ、ディスクカートリッジ４をメカシャーシー２０上の所定のディスクカートリッジ装着部に装着させる。これによって、ディスク２が図示しないターンテーブル上に載置され、且つ、図示しないチャッキング部材によってチャッキングされる。また、上カバー１３とカートリッジホルダー３０との間には図示しないバネ部材が介在されており、上カバー１３が閉じられると、上記バネ部材がカートリッジホルダー３０を下方へ押圧するように作用し、カートリッジホルダー３０が下方に回動された状態、すなわち、ディスクカートリッジ４を所定のディスクカートリッジ装着部に装着させた状態に確実に保持するようになっている。そして、上カバー１３及びカートリッジホルダー３０はこの下方に回動された状態に図示しないロック機構によってロックされる。
【００５７】
カートリッジホルダー３０が下方へ回動されて行くと、先ず、ロック部材５０の被ロック腕５４の被ロック片５４ａが保持手段６０の傾斜案内面６２ａに当接する（図１４及び図２４参照）。そこからさらに、カートリッジホルダー３０が下方へ回動されて行くと、被ロック腕５４が外方へ撓むことによって被ロック片５４ａは傾斜案内面６２ａを滑って外方、すなわち、右方へ変位していき（図１５及び図２５参照）、被ロック片５４ａが保持手段６０のロック面６２ｂより下に位置したときに、被ロック腕５４の撓みが復帰するように動作して被ロック片５４ａがロック面６２ｂの下側に潜り込み、これによって、ロック部材５０はそのスライダー係止部５３がロックされる（図１６及び図２６参照）。
【００５８】
上記したように、カートリッジホルダー３０が最下方まで回動され、該カートリッジホルダー３０に保持されたディスクカートリッジ４がディスクカートリッジ装着位置に装着された状態から、上カバー１３が開かれると、カートリッジホルダー３０も上方へ回動して、ディスクカートリッジ４の一部がカートリッジホルダー３０から突出される。
【００５９】
すなわち、上カバー１３が開かれるとき、該上カバー１３とカートリッジホルダー３０とは上記したようにリンクされているので、カートリッジホルダー３０に上方へ回動させようとする力が加わる。ところが、ロック部材５０の被ロック片５４ａが保持手段６０のロック面６２ｂに係合しているため、カートリッジホルダー３０は直ぐには上方へ回動することができない。そして、カートリッジホルダー３０を上方へ回動させようとする力が強くなってくると、ロック部材５０のバネ部５２が上方へ凸になるように撓み、これによってカートリッジホルダー３０は上方へ回動することができる。
【００６０】
これによって、ロック部材５０のスライダー係止部５３はカートリッジホルダー３０に置いて行かれる形になり、イジェクトスライダー４０の被係止片４４がロック部材５０の係止縁５３ａを滑って上方へ移動して行き、該被係止片４４が係止縁５３ａより上方に位置した（図１７及び図２７参照）ところで、ロック部材５０によるイジェクトスライダー４０に対するロックが解除され、これによって、イジェクトスライダー４０は引張コイルバネ４１ｄの引張力によって前方へ向けて移動される。しかしながら、このロックが解除された直後では、イジェクトスライダー４０の被係止片４４の位置が保持手段６０の規制部６３より上には位置していないので、前進したイジェクトスライダー４０の被係止片４４は保持手段６０の規制面６３ａに当接して、その位置で停止せしめられる（図１８及び図２８参照）。
【００６１】
そこから、さらにカートリッジホルダー３０が上方へ回動されて、イジェクトスライダー４０の被係止片４４の位置が保持手段６０の規制部６３の上端より上方に出ると、イジェクトスライダー４０の前方への移動に対する保持手段６０による規制が解除され、イジェクトスライダー４０は引張コイルバネ４１ｄの引張力によって前方へ移動される。そして、イジェクトスライダー４０のディスク押圧部４３によって押圧されてディスクカートリッジ４も前方へ移動せしめられ、該ディスクカートリッジ４の一部がカートリッジホルダー３０の前端から突出せしめられる（図１９及び図２９参照）。従って、ユーザーはディスクカートリッジ４のカートリッジホルダー３０から突出した部分を持ってディスクカートリッジ４をカートリッジホルダー３０から容易に引き出すことができる。
【００６２】
なお、この間に、シャッター閉蓋孔８ｄにシャッター閉蓋バネ３７の嵌合部３７ｂが係合しているシャッター部材８はカートリッジ３に対して置いて行かれる状態となって閉蓋される。そして、ディスクカートリッジ４がカートリッジホルダー３０から取り出されるときには、シャッター閉蓋バネ３７のバネ部３７ａが外側に撓むことによって嵌合部３７ｂがシャッター閉蓋孔８ｄから外れることになる。
【００６３】
また、上記したように、ディスクカートリッジ４がイジェクトされる間に、被ロック腕５４が撓むことによって、被ロック片５４ａが外方へ移動して保持手段６０のロック面６２ｂから右方へ外れる。従って、保持手段６０によるロック部材５０のロックが解除され、バネ部５２の撓みが解消されてスライダー係止部５３は元の位置に戻る。
【００６４】
上記したように、上記ディスクカートリッジのイジェクト機構にあっては、イジェクトスライダー４０は、ロックが解除された直後においては、その前方への移動が保持手段６０の規制部６３によって規制され、カートリッジホルダー３０のメカシャーシー２０に対する回動角が所定以上（イジェクトスライダー４０の被係止片４４の高さが保持手段６０の規制部６３の上端より上に位置する状態）になって初めて前方へ移動されて、ディスクカートリッジ４のイジェクト（排出）を為すので、カートリッジホルダー３０が開き始めてからイジェクト動作が開始するまでの開き角度を安定させることができ、そのため、イジェクト開始時のカートリッジホルダー３０のメカシャーシー２０に対する開き角度を設計上ぎりぎりまで大きくとることができ、設計上の自由度が増大する。
【００６５】
また、上記したように、保持手段６０にカートリッジホルダー３０を回動自在に支持するためのホルダー支持部６１を設けたので、部品点数の削減を図ることが出来る。
【００６６】
なお、上記した実施の形態において示した各部の形状及び構造は、何れも本発明を実施するに際して行う具体化のほんの一例を示したものに過ぎず、これらによって本発明の技術的範囲が限定的に解釈されることがあってはならないものである。
【００６７】
【発明の効果】
以上に記載したところから明らかなように、本発明ディスクカートリッジのイジェクト機構は、ディスクカートリッジが挿入保持されると共にメカシャーシーに対して離接する方向に移動し、メカシャーシーから離間した状態でディスクカートリッジの挿脱が行われ、メカシャーシーに接した状態でディスクカートリッジを所定の装着位置に装着させるカートリッジホルダーと、上記カートリッジホルダーにディスクカートリッジの挿脱方向と同方向に移動可能に取り付けられ、ディスク押圧部を有し該ディスク押圧部がディスクカートリッジを押圧してディスクカートリッジをカートリッジホルダーから排出させるイジェクトスライダーと、ディスクカートリッジのカートリッジホルダーへの挿入が完了した位置で上記イジェクトスライダーをロックするロック部材と、カートリッジホルダーのメカシャーシーから離間する方向への移動動作に伴って上記ロック部材によるイジェクトスライダーのロックを解除すると共に、イジェクトスライダーのディスクカートリッジ排出方向への移動をカートリッジホルダーがメカシャーシーから所定距離移動するまで規制する規制部を有する保持手段とを備えたことを特徴とする。
【００６８】
従って、本発明ディスクカートリッジのイジェクト機構にあっては、保持手段の規制部によってイジェクトスライダーのディスクカートリッジ排出方向への移動がカートリッジホルダーがメカシャーシーから所定距離移動するまで規制されるので、イジェクト時におけるカートリッジホルダーのシャーシーからの移動距離が安定になり、これによってディスクカートリッジのイジェクトを確実に行えるようになる。
【００６９】
請求項２に記載した発明にあっては、上記保持手段にカートリッジホルダーの軸受を一体に形成したので、部品点数の削減を図ることが出来る。
【００７０】
請求項３に記載した発明にあっては、上記保持手段をメカシャーシーに固定し、上記カートリッジホルダーを上記軸受を介してメカシャーシーに回動自在に支持するようにしたので、カートリッジホルダーと保持手段との位置関係が安定し、ディスクカートリッジのイジェクト開始のタイミングをより確実に規定することができる。
【図面の簡単な説明】
【図１】図２乃至図３２と共に本発明をディスク状記録媒体の記録再生装置におけるディスクカートリッジのイジェクト機構に適用した実施の形態を示すものであり、本図は記録再生装置の外観を示す斜視図である。
【図２】メカシャーシーとカートリッジホルダーとを分離して示す概略斜視図である。
【図３】カートリッジホルダーを分解しメカシャーシーと共に示す概略斜視図である。
【図４】イジェクトスライダーの拡大斜視図である。
【図５】図６と共にロック部材を示すものであり、本図は右上前方から見た拡大斜視図である。
【図６】左上前方から見た拡大斜視図である。
【図７】図８と共に保持手段を示すものであり、本図は右上前方から見た拡大斜視図である。
【図８】左上前方から見た拡大斜視図である。
【図９】イジェクトスライダー、ロック部材及び保持手段を組み合わせた状態を示す拡大斜視図である。
【図１０】図１１乃至図１９と共にディスクカートリッジがカートリッジホルダーに保持されて所定のディスクカートリッジ装着位置に装着され、さらに、カートリッジホルダーから排出されるまでの動作を示す要部の拡大右側面図であり、本図はディスクカートリッジがカートリッジホルダーに挿入され始めた状態を示すものである。
【図１１】図１０の状態からディスクカートリッジがさらにカートリッジホルダー内に挿入され、イジェクトスライダーの被係止片がロック部材のスライダー係止部の傾斜縁に当接した状態を示すものである。
【図１２】図１１の状態からディスクカートリッジがさらにカートリッジホルダー内に挿入され、イジェクトスライダーの被係止片がロック部材のスライダー係止部の上縁に摺接している状態を示すものである。
【図１３】図１２の状態からディスクカートリッジがさらにカートリッジホルダー内に挿入され、イジェクトスライダーの被係止片がロック部材のスライダー係止部の係止縁に係止された状態を示すものである。
【図１４】図１３の状態からカートリッジホルダーが下方へ回動され、ロック部材の被ロック片が保持手段の傾斜案内面に当接した状態を示すものである。
【図１５】図１４の状態からさらにカートリッジホルダーが下方へ回動され、ロック部材の被ロック片が保持手段のロック面に係合する直前の状態を示すものである。
【図１６】図１５の状態からさらにカートリッジホルダーが下方へ回動され、ロック部材の被ロック片が保持手段のロック面に係合した状態を示すものである。
【図１７】図１６の状態からカートリッジホルダーが上方へ回動され、イジェクトスライダーの被係止片とロック部材のスライダー係止部の係止縁との係合が解除された直後の状態を示すものである。
【図１８】イジェクトスライダーの被係止片が保持手段の規制部によって前方への移動を規制された状態を示すものである。
【図１９】カートリッジホルダーが最上方まで回動されてディスクカートリッジの排出が為された状態を示すものである。
【図２０】図２１乃至図２９と共にディスクカートリッジがカートリッジホルダーに保持されて所定のディスクカートリッジ装着位置に装着され、さらに、カートリッジホルダーから排出されるまでの動作を示す要部の拡大平面図であり、本図はディスクカートリッジがカートリッジホルダーに挿入され始めた状態を示すものである。
【図２１】図２０の状態からディスクカートリッジがさらにカートリッジホルダー内に挿入され、イジェクトスライダーの被係止片がロック部材のスライダー係止部の傾斜縁に当接した状態を示すものである。
【図２２】図２１の状態からディスクカートリッジがさらにカートリッジホルダー内に挿入され、イジェクトスライダーの被係止片がロック部材のスライダー係止部の上縁に摺接している状態を示すものである。
【図２３】図２２の状態からディスクカートリッジがさらにカートリッジホルダー内に挿入され、イジェクトスライダーの被係止片がロック部材のスライダー係止部の係止縁に係止された状態を示すものである。
【図２４】図２３の状態からカートリッジホルダーが下方へ回動され、ロック部材の被ロック片が保持手段の傾斜案内面に当接した状態を示すものである。
【図２５】図２４の状態からさらにカートリッジホルダーが下方へ回動され、ロック部材の被ロック片が保持手段のロック面に係合する直前の状態を示すものである。
【図２６】図２５の状態からさらにカートリッジホルダーが下方へ回動され、ロック部材の被ロック片が保持手段のロック面に係合した状態を示すものである。
【図２７】図２６の状態からカートリッジホルダーが上方へ回動され、イジェクトスライダーの被係止片とロック部材のスライダー係止部の係止縁との係合が解除された直後の状態を示すものである。
【図２８】イジェクトスライダーの被係止片が保持手段の規制部によって前方への移動を規制された状態を示すものである。
【図２９】カートリッジホルダーが最上方まで回動されてディスクカートリッジの排出が為された状態を示すものである。
【図３０】図２４の３０−３０線に沿う拡大断面図である。
【図３１】図２５の３１−３１線に沿う拡大断面図である。
【図３２】図２６の３２−３２線に沿う拡大断面図である。
【図３３】図３４と共に上記記録再生装置において使用される記録及び再生用ディスクカートリッジを示すものであり、本図は上方から見た斜視図である。
【図３４】下方から見た斜視図である。
【図３５】従来のディスクカートリッジのイジェクト機構を示す概略分解斜視図である。
【符号の説明】
４…ディスクカートリッジ、２０…メカシャーシー、３０…カートリッジホルダー、４０…イジェクトスライダー、４３…ディスク押圧部、５０…ロック部材、６０…保持手段、６１ｂ…軸ピン（カートリッジホルダーの軸受）、６３…規制部
【図１】
0004029500.tif 000002
【図２】
0004029500.tif 000003
【図３】
0004029500.tif 000004
【図４】
0004029500.tif 000005
【図５】
0004029500.tif 000006
【図６】
0004029500.tif 000007
【図７】
0004029500.tif 000008
【図８】
0004029500.tif 000009
【図９】
0004029500.tif 000010
【図１０】
0004029500.tif 000011
【図１１】
0004029500.tif 000012
【図１２】
0004029500.tif 000013
【図１３】
0004029500.tif 000014
【図１４】
0004029500.tif 000015
【図１５】
0004029500.tif 000016
【図１６】
0004029500.tif 000017
【図１７】
0004029500.tif 000018
【図１８】
0004029500.tif 000019
【図１９】
0004029500.tif 000020
【図２０】
0004029500.tif 000021
【図２１】
0004029500.tif 000022
【図２２】
0004029500.tif 000023
【図２３】
0004029500.tif 000024
【図２４】
0004029500.tif 000025
【図２５】
0004029500.tif 000026
【図２６】
0004029500.tif 000027
【図２７】
0004029500.tif 000028
【図２８】
0004029500.tif 000029
【図２９】
0004029500.tif 000030
【図３０】
0004029500.tif 000031
【図３１】
0004029500.tif 000032
【図３２】
0004029500.tif 000033
【図３３】
0004029500.tif 000034
【図３４】
0004029500.tif 000035
【図３５】
0004029500.tif 000036